(57)【要約】      （修正有）【課題】利用者の誤操作を防止することができるメダル貸し出し兼用両替機の誤操作防止カバーを提供する。【解決手段】光透過性の部材で形成され、操作パネル１０４を覆うように操作パネルの前面に配置される光透過カバー部２と、メダル貸出兼用両替機１００の前面に固定されると共に、光透過カバー部の上部の一辺を回動軸として光透過カバー部を回動自在に支持する支持部３と、を備える。【選択図】図３
0003139854.tif 000002
【実用新案登録請求の範囲】
【請求項１】
操作パネルを備え、利用者により前記操作パネルがタッチ操作されることによって、メダルの貸し出し又は現金の両替を行うメダル貸出兼用両替機に取り付けられる誤操作防止カバーであって、
光透過性の部材で形成され、前記操作パネルを覆うように前記操作パネルの前面に配置される光透過カバー部と、
前記メダル貸出兼用両替機の前面に固定されると共に、前記光透過カバー部の上部の一辺を回動軸として前記光透過カバー部を回動自在に支持する支持部と、
を備えることを特徴とする誤操作防止カバー。
【請求項２】
複数の操作部を有する操作パネルを備え、利用者により前記複数の操作部のうちいずれか１つがタッチ操作されることによって、メダルの貸し出し又は現金の両替を行うメダル貸出兼用両替機に取り付けられる誤操作防止カバーであって、
光透過性の部材で形成され、前記操作パネルの前面に、前記複数の操作部それぞれを覆うように配置される複数の光透過カバー部と、
前記メダル貸出兼用両替機の前面に固定され、前記複数の光透過カバー部の上部の一辺を回動軸として前記複数の光透過カバー部を回動自在に支持する１又は複数の支持部と、
を備えることを特徴とする誤操作防止カバー。
【請求項３】
前記メダル貸出兼用両替機の前面と前記光透過カバー部との間に空間を保つように、前記光透過カバー部に固定された１又は複数の空間保持部と、
を更に備えたことを特徴とする請求項１又は２記載の誤操作防止カバー。
【請求項４】
前記光透過カバー部は、
表面に、文字及び／又は図が描かれたシートが貼付された
ことを特徴とする請求項１〜３のうちいずれか１項記載の誤操作防止カバー。
【請求項５】
文字及び／又は図が描かれた表示カードと、
を更に備え、
前記光透過カバー部は、
前記表示カードの上部、及び下部を保持するように、当該光透過カバー部の上部及び下部に切り欠き形状を設けた
ことを特徴とする請求項１〜３のうちいずれか１項記載の誤操作防止カバー。
【請求項６】
文字及び／又は図が描かれた表示カードと、
を更に備え、
前記光透過カバー部は、
前記表示カードを保持するための空隙を設けた
ことを特徴とする請求項１〜３のうちいずれか１項記載の誤操作防止カバー。
【請求項７】
前記光透過カバー部は、
１又は複数の貫通穴を有し、
前記支持部は、
前記メダル貸出兼用両替機の前面に固定される固定手段と、
前記固定手段に前記回動軸を中心に回動自在に支持されると共に、前記光透過カバー部の両面から前記貫通穴に嵌合される１又は複数対の磁石により前記光透過カバー部を挟持する挟持手段と、を有する
ことを特徴とする請求項１〜６のうちいずれか１項記載の誤操作防止カバー。
【考案の詳細な説明】
【技術分野】
【０００１】
本考案は、遊技施設に設置されるメダル貸出機兼両替機に取り付けられ、利用者の誤操作を防止する誤操作防止カバーに関する。
【背景技術】
【０００２】
昨今、ゲームセンター等の遊技施設には、利用者によりメダルが投入されることによって、利用者に様々な娯楽を提供するメダル遊技装置が設置されている場合が多い。そして、このメダル遊技装置が設置されている場合、利用者にメダルを貸し出しするためのメダル貸出機も設置される。
【０００３】
また、遊技施設には、現金の両替機が設置されている場合も多い。そのため、メダル貸出機と両替機との両方を設置する場合、広い設置スペースが必要となり、又、両方を設置するには、設置費用が高くなるという問題があった。
【０００４】
そこで、近年、メダル貸出機と両替機とが一体型となって構成されたメダル貸出兼用両替機が普及してきている。
【０００５】
しかしながら、このようなメダル貸出兼用両替機では、利用者が現金をメダルに交換しようとして誤って両替する誤操作をしてしまったり、又はその反対に、利用者が現金を両替しようとして誤ってメダルに交換する誤操作をしてしまう場合があった。
【０００６】
利用者が誤って両替してしまった場合、利用者は、両替された現金を再度メダル貸出兼用両替機に投入し、メダルに交換するか、又は、元の現金に両替するようゲームセンター内の店員に依頼するので、利用者にとって非常に煩わしかった。同様に、利用者が誤ってメダルに交換する誤操作をしてしまった場合、元の現金に交換するのは、利用者にとって非常に煩わしかった。
【０００７】
そこで、特許文献１には、自動券売機の操作・表示領域のメニュー毎に区画された区画領域にはメニュー、金額を表示する表示エリア、又は口座選択スイッチが配置され、操作・表示領域を覆うポスター兼メニュー表示シートと、ポスター兼メニューシートを係止手段によって着脱自在にパネルに止着する透明板とを備え、ポスター兼メニュー表示シートが、各区画領域の表示エリアに対応する領域に矩各メニュー内容を示す表示手段、又は価格を示す表示手段を有し、且つ口座選択スイッチを露出させるための穴、又は切欠きを有した自動券売機のパネルが提案されている。
【０００８】
また、特許文献２には、両替機及びメダル貸出機の前扉を矩形に開口し、該開口に左４桁、中央４桁、右２桁の組として１０桁のデジタル表示部を外側に向けて設け、外側に透光板を固定し、該透光板に必要とするデジタル部以外の場所に文字を表示するコイン払出装置が提案されている。
【０００９】
さらに、特許文献３には、展示部に陳列した複数の商品見本を目視して任意の商品を購入指定するための選択手段を、展示部の前面に商品見本と対応して任意の商品を購入指定させるために、展示部の外部から商品見本を目視可能な透明度を有する材質で形成されたタッチパネルを配設して構成した自動販売機が提案されている。
【特許文献１】特開２００６−９９２５２号公報
【特許文献２】実開平６−７００６５号公報
【特許文献３】特開２０００−２７６６３７号公報
【考案の開示】
【考案が解決しようとする課題】
【００１０】
しかしながら、特許文献１に記載の自動券売機のパネルでは、口座選択スイッチを露出させるための穴、又は切欠きを有しており、利用者はこの露出された口座選択スイッチを押下操作することが可能であるので、利用者は十分にメニューや価格を確認することなく、所望の商品とは異なる口座選択スイッチを押下操作する場合があるという課題があった。
【００１１】
また、特許文献２に記載のコイン払出装置では、外側に透光板を固定し、透光板に必要とするデジタル部以外の場所に文字を表示するので、利用者の誤操作を防止することはできなかった。
【００１２】
さらに、特許文献３に記載の自動販売機では、選択手段を、展示部の前面に商品見本と対応して任意の商品を購入指定させるために、展示部の外部から商品見本を目視可能な透明度を有する材質で形成されたタッチパネルを配設して構成しているので、同様に、利用者は十分に商品を確認することなく、押下操作する場合があるという課題があった。
【００１３】
本考案は、上記課題に鑑みてなされたものであり、利用者の誤操作を防止することができるメダル貸出兼用両替機の誤操作防止カバーを提供することを目的とする。
【課題を解決するための手段】
【００１４】
上記目的を達成するため、本考案に係るメダル貸出兼用両替機の誤操作防止カバーの第１の特徴は、操作パネルを備え、利用者により操作パネルがタッチ操作されることによって、メダルの貸し出し又は現金の両替を行うメダル貸出兼用両替機に取り付けられる誤操作防止カバーであって、光透過性の部材で形成され、操作パネルを覆うように操作パネルの前面に配置される光透過カバー部と、メダル貸出兼用両替機の前面に固定されると共に、光透過カバー部の上部の一辺を回動軸として光透過カバー部を回動自在に支持する支持部とを備えることにある。
【００１５】
上記目的を達成するため、本考案に係るメダル貸出兼用両替機の誤操作防止カバーの第２の特徴は、複数の操作部を有する操作パネルを備え、利用者により複数の操作部のうちいずれか１つがタッチ操作されることによって、メダルの貸し出し又は現金の両替を行うメダル貸出兼用両替機に取り付けられる誤操作防止カバーであって、光透過性の部材で形成され、操作パネルの前面に、複数の操作部それぞれを覆うように配置される複数の光透過カバー部と、メダル貸出兼用両替機の前面に固定され、複数の光透過カバー部の上部の一辺を回動軸として複数の光透過カバー部を回動自在に支持する１又は複数の支持部とを備えることにある。
【００１６】
上記目的を達成するため、本考案に係るメダル貸出兼用両替機の誤操作防止カバーの第３の特徴は、メダル貸出兼用両替機の前面と光透過カバー部との間に空間を保つように、光透過カバー部に固定された１又は複数の空間保持部とを更に備えたことにある。
【００１７】
上記目的を達成するため、本考案に係るメダル貸出兼用両替機の誤操作防止カバーの第４の特徴は、光透過カバー部が、表面に、文字及び／又は図が描かれたシートが貼付されたことにある。
【００１８】
上記目的を達成するため、本考案に係るメダル貸出兼用両替機の誤操作防止カバーの第５の特徴は、文字及び／又は図が描かれた表示カードとを更に備え、光透過カバー部が、表示カードの上部、及び下部を保持するように、当該光透過カバー部の上部及び下部に切り欠き形状を設けたことにある。
【００１９】
上記目的を達成するため、本考案に係るメダル貸出兼用両替機の誤操作防止カバーの第６の特徴は、文字及び／又は図が描かれた表示カードとを更に備え、光透過カバー部は、表示カードを保持するための空隙を設けたことにある。
【００２０】
上記目的を達成するため、本考案に係るメダル貸出兼用両替機の誤操作防止カバーの第７の特徴は、光透過カバー部が、１又は複数の貫通穴を有し、支持部が、メダル貸出兼用両替機の前面に固定される固定手段と、固定手段に回動軸を中心に回動自在に支持されると共に、光透過カバー部の両面から貫通穴に嵌合される１又は複数対の磁石により光透過カバー部を挟持する挟持手段とを有することにある。
【考案の効果】
【００２１】
本考案に係るメダル貸出兼用両替機の誤操作防止カバーによれば、利用者の誤操作を防止することができる。
【考案を実施するための最良の形態】
【００２２】
以下、本考案を実施するための最良の形態について図面を参照して説明する。
【実施例１】
【００２３】
本考案の実施例１では、メダル貸出兼用両替機に備えられた操作パネルの前面に配置された１枚の光透過カバー部と、メダル貸出兼用両替機の前面に固定され、１枚の光透過カバー部の上部の一辺を回動軸として、この光透過カバー部を回動させるように、光透過カバー部を保持する支持部とを備えることを特徴とする誤操作防止カバーが取り付けられたメダル貸出兼用両替機を例に挙げて説明する。
【００２４】
図１は、本考案の実施例１である誤操作防止カバーが取り付けられたメダル貸出兼用両替機の構成を示した構成図である。
【００２５】
図１に示すように、メダル貸出兼用両替機１００の前面には、紙幣が投入される紙幣投入口１０１と、硬貨が投入される貨幣投入口１０２と、投入された紙幣、又は硬貨をそのまま返金させるためのレバー１０３と、タッチパネル式モニタを備える操作パネル１０４と、メダルを払い出すメダル払出口１０５と、硬貨を払い出す硬貨払出口１０６と配置されており、操作パネル１０４の前面には、本考案の実施例１である誤操作防止カバー１が取り付けられている。
【００２６】
図２は、メダル貸出兼用両替機１００に備えられた操作パネル１０４の拡大図である。
【００２７】
図２に示すように、操作パネル１０４は、エリア分割されており、操作部１０４ａ〜１０４ｄを有している。操作部１０４ａには、「両替」の文字が表示されており、利用者により操作部１０４ａがタッチ操作されることより、操作パネル１０４は、両替を行うための操作信号を生成する。
【００２８】
また、操作部１０４ｂ〜１０４ｄには、それぞれ「５０００円メダル４５０枚」、「３０００円メダル２５０枚」、「１０００円メダル８０枚」の文字が表示されており、利用者により操作部１０４ｂ〜１０４ｄのうちいずれか１つがタッチ操作されることより、操作パネル１０４は、タッチ操作された操作部１０４ｂ〜１０４ｄに対応する数のメダルへ交換するための操作信号を生成する。
【００２９】
そして、この操作パネル１０４の前面には、本考案の実施例１である誤操作防止カバー１が備えられている。
【００３０】
図３は、本考案の実施例１である誤操作防止カバー１が取り付けられたメダル貸出兼用両替機１００の拡大図である。
【００３１】
図３に示すように、本考案の実施例１である誤操作防止カバー１は、光透過カバー部２と、支持部３とを備えている。
【００３２】
支持部３は、メダル貸出兼用両替機１００の前面に固定されており、光透過カバー部２の上部の一辺を回動軸として光透過カバー部２を回動させるように支持する。
【００３３】
光透過カバー部２は、上部の一辺を回動軸としてこの支持部３に回動自由に支持されている。この光透過カバー部２は、例えば、アクリル樹脂等の光透過性部材を用いて操作パネル１０４を覆うように矩形に成型されている。
【００３４】
図４（ａ）は、本考案の実施例１である誤操作防止カバー１の側面図であり、図４（ｂ）は、本考案の実施例１である誤操作防止カバー１の正面図である。
【００３５】
図４（ａ）に示すように、本考案の実施例１である誤操作防止カバー１の支持部３は、固定手段３ａと、回動結合手段３ｂと、回動手段３ｃとを備えている。
【００３６】
固定手段３ａは、メダル貸出兼用両替機１００の前面に固定されている。そして、固定手段３ａの上部には、Ｐを中心軸とした回動結合手段３ｂが備えられ、回動手段３ｃは、この回動結合手段３ｂにより、軸Ｐを中心に回動自在に支持されている。さらに、この回動手段３ｃには、光透過カバー部２が固定されている。
【００３７】
これにより、回動結合手段３ｂを介して、回動手段３ｃが図４（ａ）に示した矢印方向に軸Ｐを中心に回動することにより、この回動手段３ｃに固定された光透過カバー部２も軸Ｐを中心に回動する。
【００３８】
次に、図１、及び図３を用いて、本考案の実施例１である誤操作防止カバー１の作用について説明する。
【００３９】
まず、利用者は、紙幣を硬貨に両替したい場合、紙幣をメダル貸出兼用両替機１００の紙幣投入口１０１に投入する。利用者によって紙幣が投入されると、メダル貸出兼用両替機１００は、外部表示部１０６に投入金額の合計値を表示すると共に、投入された紙幣で交換可能なメダル数を算出する。
【００４０】
そして、メダル貸出兼用両替機１００は、操作パネル１０４に投入された紙幣で交換可能なメダル数を示す操作部１０４ｂ〜１０４ｄと、両替が可能であることを示す操作部１０４ａとを強調表示する。ここで、強調表示とは、例えば、操作部１０４ａの文字色と背景色とを反転させる等によって、利用者に操作可能であることを強調して表示することをいう。
【００４１】
このとき、操作パネル１０４の操作部１０４ａ〜１０４ｄの前面には、本考案の実施例１である誤操作防止カバー１が備えられているので、利用者は、誤操作防止カバー１の上から操作パネル１０４に表示された操作部１０４ａ〜１０４ｄをタッチ操作することができない。
【００４２】
そのため、利用者は、誤操作防止カバー１の光透過カバー部２の下部を、例えば指で持ち上げるようにして、軸Ｐを回動軸として光透過カバー部２を回動させる。
【００４３】
そして、利用者は、光透過カバー部２を回動させた状態で保持し、保持した状態で、操作パネル１０４の操作部１０４ａをタッチ操作する。この利用者による操作部１０４ａのタッチ操作により、操作パネル１０４は、両替を要求する操作信号を生成する。
【００４４】
このように、利用者は、光透過カバー部２を回動させると共に、回動させた状態で保持することにより、始めて操作パネル１０４に表示された操作部１０４ａをタッチ操作することができる。そのため、利用者は、操作部１０４ａをタッチ操作する直前に、必ず、光透過カバー部２を回動させる動作を行うこととなり、この動作を行わせることによって、利用者に誤操作防止の注意喚起を促すことができる。
【００４５】
なお、本考案の実施例１であるメダル貸出兼用両替機に取り付けられる誤操作防止カバー１では、利用者が操作パネル１０４に表示された操作部１０４ａをタッチ操作する場合について説明したが、利用者が操作部１０４ｂ〜１０４ｄをタッチ操作する場合についても、同様に、利用者は、操作部１０４ｂ〜１０４ｄをタッチ操作する直前に、必ず、光透過カバー部２を回動させる動作を行うこととなるため、利用者に誤操作防止の注意喚起を促すことができる。
【００４６】
即ち、本考案の実施例１である誤操作防止カバー１によれば、利用者の誤操作を防止することができる。
【実施例２】
【００４７】
本考案の実施例２では、メダル貸出兼用両替機に備えられた操作パネルの前面に配置された４枚の光透過カバー部と、メダル貸出兼用両替機の前面に固定され、４枚の光透過カバー部それぞれの上部の一辺を回動軸として、この光透過カバー部を回動させるように、光透過カバー部を保持する支持部とを備えることを特徴とする誤操作防止カバーが取り付けられたメダル貸出兼用両替機を例に挙げて説明する。
【００４８】
図５は、本考案の実施例２である誤操作防止カバーが適用されたメダル貸出兼用両替機１００の拡大図である。
【００４９】
図５に示すように、本考案の実施例２である誤操作防止カバー１１は、４つの光透過カバー部１２ａ〜１２ｄと、４つの支持部１３ａ〜１３ｄとを備えており、それぞれは１対１に対応している。
【００５０】
支持部１３ａ〜１３ｄは、メダル貸出兼用両替機１００の前面に一列をなすように固定されており、対応する光透過カバー部１２ａ〜１２ｄの上部の一辺を回動軸として光透過カバー部１２ａ〜１２ｄを回動させるように支持する。
【００５１】
光透過カバー部１２ａ〜１２ｄは、上部の一辺を回動軸として、それぞれ支持部１３ａ〜１３ｄに回動自由に支持されている。この光透過カバー部１２ａ〜１２ｄは、例えば、アクリル樹脂等の光透過性部材を用いて、後述する操作パネル１０４の操作部１０４ａ〜１０４ｄを覆うように矩形に成型されている。
【００５２】
操作パネル１０４は、図２に示した操作パネル１０４と同様に、操作部１０４ａ〜１０４ｄを有している。操作パネル１０４は、利用者により操作部１０４ｂ〜１０４ｄがタッチ操作されることより、投入された紙幣で交換可能なメダルへの交換を要求する操作信号を生成する。また、操作パネル１０４は、利用者により操作部１０４ａがタッチ操作されることより、両替を要求する操作信号を生成する。
【００５３】
図６（ａ）は、本考案の実施例２である誤操作防止カバー１１の側面図であり、図６（ｂ）は、本考案の実施例２である誤操作防止カバー１１の正面図である。
【００５４】
図６（ｂ）に示すように、本考案の実施例２である誤操作防止カバー１１の支持部１３ａは、光透過カバー部１２ａを回動させるように支持する。そして、図６（ａ）に示すように、支持部１３ａは、固定手段１３ａａと、回動結合手段１３ａｂと、回動手段１３ａｃとを備えている。
【００５５】
固定手段１３ａａは、メダル貸出兼用両替機１００の前面に固定されている。そして、固定手段１３ａａの上部には、Ｐを中心軸とした回動結合手段１３ａｂが備えられ、回動手段１３ａｃは、この回動結合手段１３ａｂにより、軸Ｐを中心に回動自在に支持されている。さらに、この回動手段１３ａｃには、光透過カバー部１２ａが固定されている。
【００５６】
これにより、回動結合手段１３ａｂを介して、回動手段１３ａｃが図６（ａ）に示した矢印方向に軸Ｐを中心に回動することにより、この回動手段１３ａｃに固定された光透過カバー部１２ａも軸Ｐを中心に矢印方向へ回動する。
【００５７】
なお、支持部１３ｂ〜１３ｄは、支持部１３ａと同一の構成を有する。
【００５８】
次に、図１及び図５を用いて、本考案の実施例２である誤操作防止カバー１１の作用について説明する。
【００５９】
まず、利用者は、紙幣をメダルに交換したい場合、紙幣をメダル貸出兼用両替機１００の紙幣投入口１０１に投入する。利用者によって紙幣が投入されると、メダル貸出兼用両替機１００は、外部表示部１０６に投入金額の合計値を表示すると共に、投入された紙幣で交換可能なメダル数を算出する。
【００６０】
そして、メダル貸出兼用両替機１００は、操作パネル１０４に投入された紙幣で交換可能なメダル数を示す操作部１０４ｂ〜１０４ｄと、両替が可能であることを示す操作部１０４ａとを強調表示する。
【００６１】
このとき、操作パネル１０４の前面には、本考案の実施例２である誤操作防止カバー１１が備えられているので、利用者は、誤操作防止カバー１１の上から操作パネル１０４に表示された操作部１０４ａ〜１０４ｄをタッチ操作することができない。
【００６２】
そのため、利用者は、誤操作防止カバー１の光透過カバー部１２ａ〜１２ｄのうち、所望の操作部（ここでは、操作部１０４ｄとする）に対応する光透過カバー部１２ｄの下部を、例えば指で持ち上げるようにして、軸Ｐを回動軸として光透過カバー部１２ｄを回動させる。
【００６３】
そして、利用者は、光透過カバー部１２ｄを回動させた状態で保持し、保持した状態で、操作パネル１０４の操作部１０４ｄをタッチ操作する。このタッチ操作により、操作パネル１０４は、メダルへの交換を要求する操作信号を生成する。
【００６４】
このように、利用者は、光透過カバー部１２ｄを回動させると共に、回動させた状態で保持することにより、始めて操作パネル１０４に表示された操作部１０４ｄをタッチ操作することができる。そのため、利用者は、操作部１０４ｄをタッチ操作する直前に、必ず、光透過カバー部１２ｄを回動させる動作を行うこととなり、この動作を行わせることによって、利用者に誤操作防止の注意喚起を促すことができる。
【００６５】
なお、本考案の実施例２である誤操作防止カバー１１では、利用者が操作パネル１０４に表示された操作部１０４ｄをタッチ操作する場合について説明したが、利用者が操作部１０４ａ〜１０４ｃをタッチ操作する場合についても、同様に、利用者は、操作部をタッチ操作する直前に、必ず、光透過カバー部１２ａ〜１２ｃのうちいずれか１つを回動させる動作を行うこととなるため、利用者に誤操作防止の注意喚起を促すことができる。
【００６６】
即ち、本考案の実施例２である誤操作防止カバー１１によれば、利用者の誤操作を防止することができる。
【００６７】
また、本考案の実施例２である誤操作防止カバー１１によれば、光透過カバー部１２ａ〜１２ｄは、それぞれ操作部１０４ａ〜１０４ｄに対応して回動自由に支持されているので、利用者は、所望の操作部１０４ａ〜１０４ｄに対応する光透過カバー部１２ａ〜１２ｄを回動させる必要がある。これにより、より利用者の誤操作を防止することができる。
【００６８】
なお、本考案の実施例２である誤操作防止カバー１１は、４つの光透過カバー部１２ａ〜１２ｄと、４つの支持部１３ａ〜１３ｄとを備える構成としたが、４つの光透過カバー部１２ａ〜１２ｄと、１つの支持部１３とを備える構成としてもよい。即ち、１つの支持部１３が、４つの光透過カバー部１２ａ〜１２ｄの上部の一辺を回動軸として、光透過カバー部１２ａ〜１２ｄをそれぞれ独立に回動させるように支持してもよい。
【実施例３】
【００６９】
本考案の実施例３では、本考案の実施例１である誤操作防止カバー１の構成に加え、更に、メダル貸出兼用両替機１００の前面と光透過カバー部２との間に空間を保つように、光透過カバー部２に固定された円柱状の空間保持部４を備えた誤操作防止カバー２１が適用されたメダル貸出兼用両替機を例に挙げて説明する。
【００７０】
図７（ａ）は、本考案の実施例３である誤操作防止カバー２１の側面図であり、図７（ｂ）は、本考案の実施例３である誤操作防止カバー２１の正面図である。
【００７１】
図７（ａ）に示すように、本考案の実施例３である誤操作防止カバー２１は、本考案の実施例１である誤操作防止カバー１の構成に加え、更に、メダル貸出兼用両替機１００の前面と光透過カバー部２との間に空間を保つように、光透過カバー部２に固定された空間保持部４を備えている。
【００７２】
空間保持部４は、例えば円柱状の形状を有しており、一方の端部が光透過カバー部２の比較的下部に固定される。そして、光透過カバー部２に外力が加わっていない場合、空間保持部４の他方の端部は、メダル貸出兼用両替機１００の前面に接触する。
【００７３】
このように、利用者が、例えば指先で光透過カバー部２を回動させる際、メダル貸出兼用両替機１００の前面と光透過カバー部２との間に空間が保たれているので、利用者は、光透過カバー部２の下部を掴みやすくなる。
【００７４】
なお、本考案の実施例３である誤操作防止カバー２１では、１つの円柱状の空間保持部４を備える構成としたが、これに限らない。例えば、空間保持部４は、四角柱や、球状の形状を有するものであってもよく、メダル貸出兼用両替機１００の前面と光透過カバー部２との間に空間を保つような形状であればよい。
【００７５】
また、空間保持部４は、複数配置されてもよい。例えば、本考案の実施例２である誤操作防止カバー１１の光透過カバー部１２ａ〜１２ｄそれぞれに対応するように４つの空間保持部４を固定するようにしてもよい。
【実施例４】
【００７６】
本考案の実施例４では、本考案の実施例１である誤操作防止カバー１の構成に加え、更に、光透過カバー部２の表面に、文字及び／又は図が描かれたシートが貼付された誤操作防止カバーについて説明する。
【００７７】
図８は、本考案の実施例４である誤操作防止カバーが適用されたメダル貸出兼用両替機１００の拡大図である。
【００７８】
図８に示すように、本考案の実施例４である誤操作防止カバー３１は、光透過カバー部２と、支持部３とを備えている。
【００７９】
支持部３は、メダル貸出兼用両替機１００の前面に固定されており、光透過カバー部２の上部の一辺を回動軸として光透過カバー部２を回動させるように支持する。
【００８０】
また、光透過カバー部２は、上部の一辺を回動軸としてこの支持部３に回動自由に支持されている。この光透過カバー部２は、例えば、アクリル樹脂等の光透過性部材を用いて操作パネル１０４を覆うように矩形に成型されている。
【００８１】
さらに、光透過カバー部２の表面における操作部１０４ｃに対応する位置には、「おすすめメダル」の文字が描かれたシート５ｂが貼付されており、光透過カバー部２の表面の操作部１０４ａに対応する位置には、「両替」の文字が描かれたシート５ａが貼付されている。
【００８２】
このように、本考案の実施例４である誤操作防止カバー３１によれば、光透過カバー部２の表面に、文字が描かれたシートが貼付されているので、利用者の視覚を刺激し、より利用者に誤操作防止の注意喚起を促すことができる。
【００８３】
なお、シート５ａ，５ｂは、文字色が異なるようにしてもよいし、シート色が異なるようにしてもよい。
【００８４】
さらに、シート５ａ，５ｂには、文字に替えて、又は文字と共に、利用者に注意喚起を促すような図を描いても良い。
【実施例５】
【００８５】
本考案の実施例５では、メダル貸出兼用両替機に備えられた操作パネルの前面に配置され、文字及び／又は図が描かれた表示カードを保持するために上下に切り欠き形状を有する光透過カバー部と、メダル貸出兼用両替機の前面に固定され、光透過カバー部の上部の一辺を回動軸として、この光透過カバー部を回動させるように、光透過カバー部を保持する支持部とを備えることを特徴とする誤操作防止カバーが取り付けられたメダル貸出兼用両替機を例に挙げて説明する。
【００８６】
図９（ａ）は、本考案の実施例５である誤操作防止カバー４１の側面図であり、図９（ｂ）は、本考案の実施例５である誤操作防止カバー４１の正面図である。
【００８７】
図９（ａ）に示すように、本考案の実施例５である誤操作防止カバー４１は、光透過カバー部６と、支持部３とを備えている。
【００８８】
支持部３は、メダル貸出兼用両替機１００の前面に固定されており、光透過カバー部６の上部の一辺を回動軸として光透過カバー部６を回動させるように支持する。
【００８９】
図９（ａ）に示すように、本考案の実施例５である誤操作防止カバー４１の支持部３は、固定手段３ａと、回動結合手段３ｂと、回動手段３ｃとを備えている。
【００９０】
固定手段３ａは、メダル貸出兼用両替機１００の前面に固定されている。そして、固定手段３ａの上部には、Ｐを中心軸とした回動結合手段３ｂが備えられ、回動手段３ｃは、この回動結合手段３ｂにより、軸Ｐを中心に回動自在に支持されている。さらに、この回動手段３ｃには、後述する光透過カバー部６の平面部６ｃが固定されている。
【００９１】
また、光透過カバー部６は、上部の一辺、即ち軸Ｐを回動軸としてこの支持部３に回動自由に支持されている。この光透過カバー部６は、例えば、アクリル樹脂等の光透過性部材を用いて成型されており、上部端６ａと下部端６ｂとで、表示カード７ａ，７ｂの上部、及び下部を保持するように、切り欠き形状を有している。
【００９２】
図９（ｂ）に示すように、表示カード７ａは、例えば、プラスチック等で矩形に成型されており、表面には、「両替」の文字が描かれている。さらに、中心部には、利用者が操作部１０４ａを視認できるように、矩形の穴が設けられている。また、表示カード７ｂは、表示カード７ａと同様の構成を有する。
【００９３】
このように、本考案の実施例５である誤操作防止カバー４１は、文字及び／又は図が直接描かれた表示カード７ａ，７ｂを保持する光透過カバー部６を有するので、シートより文字及び／又は図が剥がれにくく、長時間の利用にも耐えることができる。
【００９４】
また、本考案の実施例５である誤操作防止カバー４１は、上部端と下部端に切り欠き形状を有した光透過カバー部６により、表示カード７ａ，７ｂの上部、及び下部を保持するので、利用者は、表示カード７ａ，７ｂを容易に差し替えることができ、これにより、文字及び／又は図の変更が容易になる。
【００９５】
なお、図９（ａ），（ｂ）に示したように、光透過カバー部６は、その平面部６ｃにより回動手段３ｃに固定される構成としたが、本考案の実施例５である誤操作防止カバー４１は、これに限らない。例えば、表示カード７ａ，７ｂが平面部６ｃよりメダル貸出兼用両替機１００側に配置されるように、光透過カバー部６は、その上部端６ａにより回動手段３ｃに固定される構成としてもよい。
【００９６】
このように、表示カード７ａ，７ｂは、平面部６ｃよりメダル貸出兼用両替機１００側に配置された場合、利用者は、直接表示カード７ａ，７ｂに触れ難くなるので、表示カード７ａ，７ｂが汚れたり、破損したり、紛失したりすることを防止することができる。
【実施例６】
【００９７】
本考案の実施例６では、メダル貸出兼用両替機に備えられた操作パネルの前面に配置され、文字及び／又は図が描かれた表示カードを保持するための空隙を設けた光透過カバー部と、メダル貸出兼用両替機の前面に固定され、光透過カバー部の上部の一辺を回動軸として、この光透過カバー部を回動させるように、光透過カバー部を保持する支持部とを備えることを特徴とする誤操作防止カバーが取り付けられたメダル貸出兼用両替機を例に挙げて説明する。
【００９８】
図１０（ａ）は、本考案の実施例６である誤操作防止カバー５１の側面図であり、図１０（ｂ）は、本考案の実施例６である誤操作防止カバー５１の正面図である。
【００９９】
図１０（ａ）に示すように、本考案の実施例６である誤操作防止カバー５１は、光透過カバー部８と、支持部３とを備えている。
【０１００】
支持部３は、メダル貸出兼用両替機１００の前面に固定されており、光透過カバー部９の上部の一辺を回動軸として光透過カバー部９を回動させるように支持する。
【０１０１】
図１０（ａ）に示すように、本考案の実施例６である誤操作防止カバー５１の支持部３は、固定手段３ａと、回動結合手段３ｂと、回動手段３ｃとを備えている。
【０１０２】
固定手段３ａは、メダル貸出兼用両替機１００の前面に固定されている。そして、固定手段３ａの上部には、Ｐを中心軸とした回動結合手段３ｂが備えられ、回動手段３ｃは、この回動結合手段３ｂにより、軸Ｐを中心に回動自在に支持されている。さらに、この回動手段３ｃには、後述する光透過カバー部８が固定されている。
【０１０３】
また、光透過カバー部８は、上部の一辺を回動軸としてこの支持部３に回動自由に支持されている。この光透過カバー部８は、例えば、アクリル樹脂等の光透過性部材を用いて成型されており、内部に文字及び／又は図が描かれた表示カード７ａ，７ｂを保持するための空隙が設けられている。
【０１０４】
さらに、図１０（ｂ）に示すように、光透過カバー部８のメダル貸出兼用両替機１００側には、取り出し穴８ａ〜８ｄが設けられており、利用者は、取り出し穴８ａ〜８ｄから空隙に挿入された表示カード７ａ，７ｂをスライドさせることにより、この表示カード７ａ，７ｂを取り出すことができる。
【０１０５】
表示カード７ａは、例えば、プラスチック等で矩形に成型されており、表面には、「両替」の文字が描かれている。さらに、中心部には、利用者が操作部１０４ａを視認できるように、光透過性の矩形部材を備えている。また、表示カード７ｂは、表示カード７ａと同様の構成を有する。
【０１０６】
このように、本考案の実施例６である誤操作防止カバー５１は、文字及び／又は図が直接描かれた表示カード７ａ，７ｂを保持する光透過カバー部８を有するので、シートより文字及び／又は図が剥がれにくく、長時間の利用にも耐えることができる。
【０１０７】
また、本考案の実施例６である誤操作防止カバー５１は、空隙を設けた光透過カバー部８により表示カード７ａ，７ｂを保持するので、利用者は、表示カード７ａ，７ｂを容易に差し替えることができ、これにより、文字及び／又は図の変更が容易になる。
【実施例７】
【０１０８】
本考案の実施例７では、２つの貫通穴を有した光透過性の部材で形成され、操作パネルの操作部を覆うように操作パネルの前面に配置された４つの光透過カバー部と、メダル貸出兼用両替機１００の前面に固定される固定手段、及びこの固定手段に回動軸を中心に回動自在に支持されると共に、光透過カバー部の両面から貫通穴に嵌合される２対の磁石により光透過カバー部を挟持する挟持手段を有する４つの支持部と、を備えた誤操作防止カバーが取り付けられたメダル貸出兼用両替機を例に挙げて説明する。
【０１０９】
図１１（ａ）は、本考案の実施例７である誤操作防止カバー６１の側面図であり、図１１（ｂ）は、本考案の実施例７である誤操作防止カバー６１の正面図である。
【０１１０】
図１１（ｂ）に示すように、本考案の実施例７である誤操作防止カバー６１は、操作パネルの操作部１０４ａ〜１０４ｄに対応して、光透過カバー部２５〜２８と、支持部２１〜２４とを備えている。
【０１１１】
支持部２１〜２４は、メダル貸出兼用両替機１００の前面に一列をなすように固定されており、対応する光透過カバー部２５〜２８の上部の一辺を回動軸として光透過カバー部２５〜２８それぞれを回動させるように支持する。
【０１１２】
ここで、支持部２１〜２４は、同一構成を有するので、支持部２１の構成について以下に具体的に説明する。
【０１１３】
図１１（ａ）に示すように、支持部２１は、固定手段２１ａと、回動結合手段２１ｂと、第１の挟持手段２１ｃと、第２の挟持手段２１ｄとを備えている。
【０１１４】
固定手段２１ａは、メダル貸出兼用両替機１００の前面に固定されている。そして、Ｐを中心軸とした回動結合手段２１ｂにより、Ｐを中心軸として第１の挟持手段２１ｃと、第２の挟持手段２１ｄとが回動自在に支持されている。
【０１１５】
第１の挟持手段２１ｃと第２の挟持手段２１ｄには、互いに向かい合う側にそれぞれ第１の磁石２１ｅと、第２の磁石２１ｇとが固定されており、互いに向かい合う側にそれぞれ第１の磁石２１ｆと、第２の磁石２１ｈとが固定されている。
【０１１６】
光透過カバー部２５〜２８は、上部の一辺、即ち軸Ｐを回動軸として、それぞれ支持部２１〜２４に回動自由に支持されている。この光透過カバー部２５〜２８は、例えば、アクリル樹脂等の光透過性部材を用いて、操作パネル１０４の操作部１０４ａ〜１０４ｄを覆うように矩形に成型されている。ここで、光透過カバー部２５〜２８は、同一構成を有するので、以下、光透過カバー部２５の構成について具体的に説明する。
【０１１７】
光透過カバー部２５は、図１１（ｂ）に示すように、第１の磁石２１ｅと、第２の磁石２１ｇとが嵌合するように、貫通穴２５ａが設けられており、第１の磁石２１ｆと、第２の磁石２１ｈとが嵌合するように、貫通穴２５ｂが設けられている。
【０１１８】
これにより、光透過カバー部２５は、貫通穴２５ａに嵌合された第１の磁石２１ｅと第２の磁石２１ｇの磁力、及び貫通穴２５ｂに嵌合された第１の磁石２１ｆと第２の磁石２１ｈの磁力により、第１の挟持手段２１ｃと第２の挟持手段２１ｄとによって挟持される。
【０１１９】
また、回動結合手段２１ｂを介して、第１の挟持手段２１ｃと第２の挟持手段２１ｄとが図１１（ａ）に示した矢印方向に軸Ｐを中心に回動することにより、この第１の挟持手段２１ｃと第２の挟持手段２１ｄに挟持された光透過カバー部２５も軸Ｐを中心に回動する。
【０１２０】
このように、本考案の実施例７である誤操作防止カバー６１は、第１の磁石２１ｅ，２１ｆと、第２の磁石２１ｇ，２１ｈとの磁力により、第１の挟持手段２１ｃと第２の挟持手段２１ｄとによって光透過カバー部２５を挟持するので、利用者が光透過カバー部２５を交換する際、工具等を用いることなく、簡単に光透過カバー部２５を取り外すことができ、また、簡単に光透過カバー部２５と同一形状を有する新たな光透過カバー部２５を装着することができる。
【０１２１】
なお、本考案の実施例７である誤操作防止カバー６１では、光透過カバー部２５に２つの貫通穴２５ａ，２５ｂが設ける構成としたが、貫通穴は２つに限らず、第１，第２の挟持手段２１ｄ，２１ｄに設けられた磁石の数に対応する数の貫通穴を設ける構成とすればよい。
【０１２２】
さらに、本考案の実施例７である誤操作防止カバー６１では、４つの光透過カバー部２５〜２８を備える構成としたが、１つの光透過カバー部を備える構成としてもよい。
【０１２３】
具体的には、本考案の実施例７である誤操作防止カバー６１は、複数の貫通穴を有した光透過性の部材で形成され、操作パネルを覆うように操作パネルの前面に配置された１つの光透過カバー部と、メダル貸出兼用両替機１００の前面に固定される固定手段と、及びこの固定手段に回動軸を中心に回動自在に支持され、光透過カバー部の両面から貫通穴に嵌合される複数対の磁石により光透過カバー部を挟持する挟持手段を有する１つの支持部と、を備える構成としてもよい。
【０１２４】
また、光透過カバー部２５には、表面に、文字及び／又は図が描かれたシートが貼付する構成としてもよいし、文字及び／又は図が描かれた表示カードを保持するために上下に切り欠き形状を有する構成や、文字及び／又は図が描かれた表示カードを保持するための空隙を設ける構成にしてもよい。
【図面の簡単な説明】
【０１２５】
【図１】本考案の実施例１である誤操作防止カバー１が取り付けられたメダル貸出兼用両替機１００の構成を示した構成図である。
【図２】メダル貸出兼用両替機１００に備えられた操作パネル１０４の拡大図である。
【図３】本考案の実施例１である誤操作防止カバー１が取り付けられたメダル貸出兼用両替機１００の拡大図である。
【図４】（ａ）は、本考案の実施例１である誤操作防止カバー１の側面図であり、（ｂ）は、本考案の実施例１である誤操作防止カバー１の正面図である。
【図５】本考案の実施例２である誤操作防止カバー１１が適用されたメダル貸出兼用両替機１００の拡大図である。
【図６】（ａ）は、本考案の実施例２である誤操作防止カバー１１の側面図であり、（ｂ）は、本考案の実施例２である誤操作防止カバー１１の正面図である。
【図７】（ａ）は、本考案の実施例３である誤操作防止カバー２１の側面図であり、（ｂ）は、本考案の実施例３である誤操作防止カバー２１の正面図である。
【図８】本考案の実施例４である誤操作防止カバー３１が適用されたメダル貸出兼用両替機１００の拡大図である。
【図９】（ａ）は、本考案の実施例５である誤操作防止カバー４１の側面図であり、（ｂ）は、本考案の実施例５である誤操作防止カバー４１の正面図である。
【図１０】（ａ）は、本考案の実施例６である誤操作防止カバー５１の側面図であり、（ｂ）は、本考案の実施例６である誤操作防止カバー５１の正面図である。
【図１１】（ａ）は、本考案の実施例７である誤操作防止カバー６１の側面図であり、（ｂ）は、本考案の実施例７である誤操作防止カバー６１の正面図である。
【符号の説明】
【０１２６】
１，１１，２１，３１，４１，５１，６１…誤操作防止カバー
２，６，８，１２ａ〜１２ｄ，２５〜２８…光透過カバー部
３，１３ａ〜１３ｄ，２１〜２４…支持部
３ａ，１３ａａ〜１３ｄａ，２１ａ〜２４ａ…固定手段
３ｂ，１３ａｂ〜１３ｄｂ，２１ｂ〜２４ｂ…回動結合手段
３ｃ，１３ａｃ〜１３ｄｃ…回動手段
４…空間保持部
５ａ，５ｂ…シート
７ａ，７ｂ…表示カード
２１ｃ…第１の挟持手段
２１ｄ…第２の挟持手段
２１ｅ，２１ｆ…第１の磁石
２１ｇ，２１ｈ…第２の磁石
１００…メダル貸出兼用両替機
１０１…紙幣投入口
１０２…貨幣投入口
１０３…レバー
１０４…操作パネル
１０４ａ〜１０４ｄ…操作部
１０５…メダル払出口
１０６…外部表示部
１０６…硬貨払出口
【図１】
0003139854.tif 000003
【図２】
0003139854.tif 000004
【図３】
0003139854.tif 000005
【図４】
0003139854.tif 000006
【図５】
0003139854.tif 000007
【図６】
0003139854.tif 000008
【図７】
0003139854.tif 000009
【図８】
0003139854.tif 000010
【図９】
0003139854.tif 000011
【図１０】
0003139854.tif 000012
【図１１】
0003139854.tif 000013